(57)【要約】【課題】水路の両岸部で堰高が変わらないようにすることで、水路の流量調整が正確に行えるようにした起伏ゲートを提供する。【解決手段】扉体３を起立位置Ｕと倒伏位置Ｄとに回動させる袋体４Ａ，４Ｂは、扉体３の横幅方向に少なくとも２分割して、扉体３の両端側にそれぞれ配置して、袋体４Ａ，４Ｂ毎に空気の給排気管８Ａ，８Ｂを接続するとともに、袋体４Ａ，４Ｂ毎に空気を給排気制御する制御手段（電磁切換弁１４Ａ，１４Ｂ、制御回路１７）を設けることにより、外力が高い側の扉体３の一方端部３ａ側が下流側に撓むようになれば、この側の袋体４Ａに空気をより多く供給して袋体４Ａの支持力を高めることで、扉体３の一方端部３ａ側が撓まなくなる結果、水路１の両岸部で堰高が変わらないようになって（堰高の同調）、水路１の流量調整が正確に行えるようになる。【選択図】図１
2008025293.tif 000002
【特許請求の範囲】
【請求項１】
水路の底部で、上流側の起立位置と下流側の倒伏位置との間で回動可能にクランプされた扉体と、この扉体の下流側に設置された袋体とが設けられて、空気の供給による袋体の膨張で扉体が起立方向に回動されるとともに、空気の排出による袋体の収縮で扉体が倒伏方向に回動されるようになった起伏ゲートにおいて、
前記袋体は、扉体の横幅方向に少なくとも２分割されて、扉体の両端側にそれぞれ配置され、袋体毎に空気の給排気管がそれぞれ接続されているとともに、袋体毎に空気を給排気制御する制御手段が設けられていることを特徴とする起伏ゲート。
【請求項２】
前記扉体の両端側に、扉体の両端部の傾斜角度をそれぞれ検出する傾斜計が設けられていることを特徴とする請求項１に記載の起伏ゲート。
【発明の詳細な説明】
【技術分野】
【０００１】
本発明は、起伏ゲートに関する。
【背景技術】
【０００２】
従来、水路の底部で、上流側の起立位置と下流側の倒伏位置との間で回動可能にクランプされた扉体と、この扉体の下流側に設置された袋体とが設けられて、空気の供給による袋体の膨張で扉体が起立方向に回動されるとともに、空気の排出による袋体の収縮で扉体が倒伏方向に回動されるようになった起伏ゲートがある（特許文献１参照）。
【０００３】
前記のような起伏ゲートにおいて、水路の流量調整のために、扉体を中間開度（起立位置と倒伏位置との間の位置）で使用する場合がある。この中間開度では、扉体の自重および扉体に作用する水圧や土砂圧等の外力（以下、単に外力と言う。）と袋体の支持力との釣り合いで扉体の高さ（堰高）が定まることになる。
【特許文献１】特開２００２−３０９５４７号公報
【発明の開示】
【発明が解決しようとする課題】
【０００４】
しかしながら、水路で偏流等が発生したり、水路が曲がっているような箇所においては、水路の両岸部で外力が異なるから、袋体の支持力が一定であれば、外力が高い側の扉体の一方端側が下流側に撓むようになるので、扉体の一方端側の高さ（堰高）が他方端側よりも低くなって、両岸部で堰高が変わることで水路の流量調整が正確に行えなくなるとともに、景観的な見苦しさ、著しい偏流による下流河床部の洗掘を助長するという問題があった。
【０００５】
本発明は、前記問題を解消するためになされたもので、水路の両岸部で堰高が変わらないようにすることで、水路の流量調整が正確に行えるとともに、景観的な見苦しさを解消し、下流河床部の洗掘を低減できるようにした起伏ゲートを提供することを目的とするものである。
【課題を解決するための手段】
【０００６】
前記課題を解決するために、本発明は、水路の底部で、上流側の起立位置と下流側の倒伏位置との間で回動可能にクランプされた扉体と、この扉体の下流側に設置された袋体とが設けられて、空気の供給による袋体の膨張で扉体が起立方向に回動されるとともに、空気の排出による袋体の収縮で扉体が倒伏方向に回動されるようになった起伏ゲートにおいて、前記袋体は、扉体の横幅方向に少なくとも２分割されて、扉体の両端側にそれぞれ配置され、袋体毎に空気の給排気管がそれぞれ接続されているとともに、袋体毎に空気を給排気制御する制御手段が設けられていることを特徴とする起伏ゲートを提供するものである。
【０００７】
請求項２のように、前記扉体の両端側に、扉体の両端部の傾斜角度をそれぞれ検出する傾斜計が設けられていることが好ましい。
【発明の効果】
【０００８】
本発明によれば、扉体の両端側の袋体を、袋体毎に制御手段で空気を給排気制御することにより、外力が高い側の扉体の一方端側が下流側に撓むようになれば、この側の袋体に空気をより多く供給して袋体の支持力を高めることで、扉体の一方端側が撓まなくなる結果、水路の両岸部で堰高が変わらないようになって（堰高の同調）、水路の流量調整が正確に行えるようになる。
【０００９】
また、水路の両岸部で堰高が変わらないので、景観的な見苦しさが解消され、下流河床部の洗掘も低減できるようになる。
【００１０】
請求項２のように、扉体の両端部の傾斜角度を傾斜計で検出することにより、傾斜角度がほぼ同じとなるように空気の給排気制御を自動的に遠隔操作で行うことが可能となるので、水路の流量調整が常に正確に行えるようになる。
【発明を実施するための最良の形態】
【００１１】
以下、本発明を実施するための最良の形態について、図面を参照しながら詳細に説明する。
【００１２】
図１および図２に示すように、河川や水路１を横切るように設けられる起伏ゲート２は、水路１の底部１ａで、上流側の起立位置Ｕと下流側の倒伏位置Ｄとの間で回動可能にクランプされた扉体３と、この扉体３の下流側に設置された袋体４Ａ，４Ｂとが設けられて、空気の供給による袋体４Ａ，４Ｂの膨張で扉体３が起立方向に回動されるとともに、空気の排出による袋体４Ａ，４Ｂの収縮で扉体３が倒伏方向に回動されるようになっている。
【００１３】
鋼製の扉体３は、横長長方形状に形成されて、下端部が水路１の底部１ａにヒンジ部材６で回動可能にクランプされるとともに、上端部と底部１ａとの間がチェーン等の可撓性連結部材７で連結されて、この連結部材７によって扉体３の起立位置Ｕの上限が規制されるようになる。
【００１４】
ゴム製の袋体４Ａ，４Ｂは、本実施形態では、扉体３の横幅方向に２分割されて、扉体３の両端側にそれぞれ配置されているが、３分割以上であっても良く、要するに、少なくとも扉体３の両端側に袋体がそれぞれ１個ずつ配置されていれば良い。
【００１５】
各袋体４Ａ，４Ｂは、横長枕状に形成されて、下部が底部１ａに固定されることにより、上方に膨張すると共に、下方に収縮するようになる。
【００１６】
袋体４Ａ，４Ｂには、コンプレッサ１２、圧縮空気タンク１３および電磁切換弁１４Ａ，１４Ｂ等を介して空気の給排気管８Ａ，８Ｂがそれぞれ接続されて、電磁切換弁１４Ａ，１４Ｂの切換によって、袋体４Ａ，４Ｂに個別に空気を給気するとともに、袋体４Ａ，４Ｂから個別に空気を排気するようになっている。
【００１７】
扉体３の両端側には、扉体３の両端部の傾斜角度をそれぞれ検出する傾斜計（開度計）１６Ａ，１６Ｂが設けられているとともに、傾斜計１６Ａ，１６Ｂの検出信号で電磁切換弁１４Ａ，１４Ｂを切換制御させるための制御回路１７が設けられている。この制御回路１７や電磁切換弁１４Ａ，１４Ｂは、袋体４Ａ，４Ｂ毎に空気を給排気制御する制御手段を構成する。
【００１８】
前記のように起伏ゲート２を構成すれば、通常時は、扉体３の両端側の袋体４Ａ，４Ｂに空気を等量で給排気制御することで、扉体３を起立位置Ｕと倒伏位置Ｄとに回動させるようになる。
【００１９】
そして、水路１の流量調整のために、扉体３を中間開度（図２の符号Ｎ参照）で使用する場合には、図３のように、水路１の両岸部で外力が同じであれば、起伏ゲート２の扉体３の両端部３ａ，３ｂ側が撓むことが無いので、扉体３の高さ（堰高）が定まることになる（堰高Ｈ１参照）。
【００２０】
これに対して、水路１で偏流等が発生したり、水路１が曲がっているような箇所においては、水路１の両岸部で外力が異なるから、袋体４Ａ，４Ｂの支持力（空気の供給量）が一定であれば、外力が高い側の扉体３の一方端側（図３では向かって右側の端部３ａとする。）が下流側に撓むようになるので、扉体の一方端部３ａ側の高さ（堰高）が他方端部３ｂ側よりも低くなる（堰高Ｈ２参照）。これにより、両岸部で堰高Ｈ１，Ｈ２が変わることで水路１の流量調整が正確に行えなくなる。
【００２１】
そこで、図１のように、扉体３の両端部３ａ，３ｂ側の袋体４Ａ，４Ｂを、袋体４Ａ，４Ｂ毎に電磁切換弁１４Ａ，１４Ｂの切換で、空気を給排気制御することにより、外力が高い側の扉体３の一方端部３ａ側が下流側に撓むようになれば、この側の袋体４Ａに空気をより多く供給して袋体４Ａの支持力を高めることで、扉体３の一方端部３ａ側が撓まなくなる結果、水路１の両岸部で堰高Ｈ１が変わらないようになって（堰高の同調）、水路の流量調整が正確に行えるようになる。
【００２２】
特に、扉体３の両端部３ａ，３ｂの傾斜角度を傾斜計１６Ａ，１６Ｂで検出して、この検出信号に基づいて制御回路１７により電磁切換弁１４Ａ，１４Ｂを切換制御することで、傾斜角度がほぼ同じとなるように空気の給排気制御を自動的に遠隔操作で行うことが可能となるので、水路の流量調整が常に正確に行えるようになる。
【００２３】
また、水路１の両岸部で堰高Ｈ１が変わらないので、景観的な見苦しさが解消され、下流河床部の洗掘も低減できるようになる。
【００２４】
さらに、扉体３の両端部３ａ，３ｂ側が撓むことで扉体３が偏った場合、図３に示したように、水路１の側部戸当たり４ａ，４ｂに扉体３の端部５ａ，５ｂが接触し、扉体３の回動によって各々に擦れ傷が生じる。そして、側部戸当たり４ａ，４ｂの擦れ傷が不規則に生長した場合、扉体３の回動に対する抵抗力が増大し、扉体３の起伏機能に支障が生じることがある。これに対して、本実施形態では、扉体３の偏りが防止できるので、扉体３の端部５ａ，５ｂと水路１の側部戸当たり４ａ，４ｂとの接触を避けることができる。
【図面の簡単な説明】
【００２５】
【図１】本発明の実施形態に係る起伏ゲートを下流側から見た正面図である。
【図２】図１の起伏ゲートの側面断面図である。
【図３】中間開度の扉体を下流側から見た正面図である。
【符号の説明】
【００２６】
１    水路
１ａ  底部
２    起伏ゲート
３    扉体
４Ａ，４Ｂ  袋体
８Ａ，８Ｂ  給排気管
１４Ａ，１４Ｂ  電磁切換弁
１６Ａ，１６Ｂ  傾斜計
１７  制御回路
Ｕ    起立位置
Ｄ    倒伏位置
Ｎ    中間開度
【図１】
2008025293.tif 000003
【図２】
2008025293.tif 000004
【図３】
2008025293.tif 000005